(57)【要約】【課題】  電柱に直接取付けられる腕金の取付け箇所を減設できるようにすると共に、電柱に取付けられた腕金に共架物を共架する区画の数を増加できるようにする。【解決手段】  ０．５ｍ〜１．５ｍの間隔を有して電柱２０ａに取付けられた水平腕金１及び２の間隔を保持するように水平腕金１と水平腕金２とを係合する垂直腕金４に、通信線１１の共架位置が両側に割り当てられて３本ほど取付けられた水平腕金３を備え、この垂直腕金４を境界にして水平腕金１及び３の両側の共架位置に通信線１１が共架されるものである。【選択図】    図２
2007295727.tif 000002
【特許請求の範囲】
【請求項１】
電柱に共架物を共架する金物であって、
所定の間隔を有して前記電柱に取付けられた第１及び第２の腕金と、
前記第１及び第２の腕金の間隔を保持するように当該第１の腕金と第２の腕金とを係合する係合用腕金と、
前記共架物の共架位置が両側に割り当てられて前記係合用腕金に１個以上取付けられた第３の腕金とを備え、
前記係合用腕金を境界にして前記第１乃至第３の腕金の所定の共架位置に前記共架物が共架されることを特徴とする共架用金物。
【請求項２】
前記電柱に一端が取付けられ、他端が前記第１又は第２の腕金を所定の方向から支持する所定形状の支持部材を備えることを特徴とする請求項１に記載の共架用金物。
【請求項３】
前記係合用腕金に取付けられ、当該係合用腕金が前記第３の腕金から受ける荷重を支えて補強する補強部材を備えることを特徴とする請求項１に記載の共架用金物。
【請求項４】
前記第１及び第２の腕金、前記係合用腕金、及び前記電柱で囲まれた枠の腕金の所定位置に、前記共架物が出し入れされる共架物出入部を備えることを特徴とする請求項１に記載の共架用金物。
【発明の詳細な説明】
【技術分野】
【０００１】
この発明は、電柱に通信線を共架する通信線共架用金物に適用可能な共架用金物に関するものである。
【０００２】
詳しくは、所定の間隔を有して電柱に取付けられた第１及び第２の腕金の間隔を保持するように当該第１の腕金と第２の腕金とを係合する係合用腕金に、共架物の共架位置が両側に割り当てられて１個以上取付けられた第３の腕金を備え、この係合用腕金を境界にして第１乃至第３の腕金の所定の共架位置に共架物が共架され、電柱に直接取付けられる腕金の取付け箇所を減設できるようにすると共に、電柱に取付けられた第１乃至第３の腕金に共架物を共架する区画の数を増加できるようにする。
【背景技術】
【０００３】
従来、新しく光ケーブルなどの通信線を架設する場合、図６に示す通信線共架用金物２００のように、ケーブルの種類や業者ごとに通信線共架用の水平腕金を電柱に直接取付け、この水平腕金に通信線を架設する場合が多い。
【０００４】
このような通信線共架用金物２００に関連して、特許文献１には、低圧配電線路から引込線を引き込む電線引込構造が開示されている。この電線引込構造によれば、垂直腕金１０にメッセンジャーワイヤ取付金具４０を設け、この取付金具４０でメッセンジャーワイヤＭを支持し、増設する引込線３０をメッセンジャーワイヤＭに沿わせる。これにより、追加の装柱工事を安価に簡単に行うことができるようになる。
【０００５】
また、特許文献２には、架空配電線、変圧器などを支持する電柱装柱方法が開示されている。この電柱装柱方法によれば、柱体上部の腕金物取付側の半分を分岐体とし、反対側半分を機器装着体とし、これら両者の最上部を変圧器取付体とし、これらを一体化したものである。これにより、電線の分岐をコンパクトに行うことができると共に、引込みケーブルの分岐と各機器との接続をスムースに行えるようになる。
【０００６】
【特許文献１】特開平１０−３２９１８号公報（第２頁、第１図）
【特許文献２】特開平０７−２１２９４６号公報（第２頁、第１図）
【発明の開示】
【発明が解決しようとする課題】
【０００７】
ところで、従来例に係る電柱に通信線共架用の水平腕金を取付ける方法、及び特許文献１及び２によれば、電柱に通信線共架用の水平腕金を直接取付けるので、電柱に直接取付けられる水平腕金の取付け箇所の数が増加して昇柱、降柱や柱上での作業が困難になる。
【０００８】
更に、ケーブルの種類や業者ごとに通信線共架用の水平腕金を電柱に取付けるので、電柱に取付けられた水平腕金を効率的に利用することが難しい。
【０００９】
そこで、本発明はこのような従来例に係る課題を解決したものであって、電柱に直接取付けられる腕金の取付け箇所を減設できるようにすると共に、電柱に取付けられた腕金に共架物を共架する区画の数を増加できるようにすることを目的とする。
【課題を解決するための手段】
【００１０】
上述した課題を解決するために、請求項１に記載の共架用金物は、電柱に共架物を共架する金物であって、所定の間隔を有して前記電柱に取付けられた第１及び第２の腕金と、前記第１及び第２の腕金の間隔を保持するように当該第１の腕金と第２の腕金とを係合する係合用腕金と、前記共架物の共架位置が両側に割り当てられて前記係合用腕金に１個以上取付けられた第３の腕金とを備え、前記係合用腕金を境界にして前記第１乃至第３の腕金の所定の共架位置に前記共架物が共架されることを特徴とするものである。
【００１１】
本発明に係る共架用金物によれば、電柱に共架物を共架する場合であって、係合用腕金は、所定の間隔を有して電柱に取付けられた第１及び第２の腕金の間隔を保持するように当該第１の腕金と第２の腕金とを係合する。第３の腕金は、共架物の共架位置が両側に割り当てられて係合用腕金に１個以上取付けられる。この係合用腕金を境界にして第１乃至第３の腕金の所定の共架位置に共架物が共架される。
【００１２】
これにより、複数の第３の腕金が取付けられた係合用腕金を第１及び第２の腕金で支持できるようになる。従って、電柱に直接取付けられる腕金の取付け箇所を減設できるようになる。また、係合用腕金を境界として用いることができるようになるので、電柱に取付けられた第１乃至第３の腕金に共架物を共架する区画の数を増加できるようになる。
【発明の効果】
【００１３】
本発明に係る共架用金物によれば、電柱に共架物を共架する場合であって、所定の間隔を有して電柱に取付けられた第１及び第２の腕金の間隔を保持するように当該第１の腕金と第２の腕金とを係合する係合用腕金に、共架物の共架位置が両側に割り当てられて１個以上取付けられた第３の腕金を備え、この係合用腕金を境界にして第１乃至第３の腕金の所定の共架位置に共架物が共架されるものである。
【００１４】
この構成によって、複数の第３の腕金が取付けられた係合用腕金を第１及び第２の腕金で支持できるようになる。従って、電柱に直接取付けられる腕金の取付け箇所を減設できるようになる。また、係合用腕金を境界として用いることができるようになるので、電柱に取付けられた第１乃至第３の腕金に共架物を共架する区画の数を増加できるようになる。これにより、共架位置が割り当てられた腕金を有効かつ効率的に利用できるようになる。
【発明を実施するための最良の形態】
【００１５】
続いて、本発明に係る共架用金物の一実施例について、図面を参照しながら説明をする。
【００１６】
図１は、本発明に係る実施例としての通信線共架用金物１００の構成例を示す概念図である。図１に示す通信線共架用金物１００は、電柱に共架物を共架する金物である。ここで、共架物とは、電線、及び光ファイバケーブル、同軸ケーブルなどの通信線を含む。
【００１７】
通信線共架用金物１００は、第１の腕金の一例である第１の水平腕金１、第２の腕金の一例である第２の水平腕金２、第３の腕金の一例である第３の水平腕金３、係合用腕金の一例である垂直腕金４、及び支持部材の一例である支え部材５を備える。
【００１８】
水平腕金１〜３、垂直腕金４、及び支え部材５は金属素材の鋳型成形品であり、長さが０．５ｍ〜１．５ｍ、断面の各辺が３ｃｍ〜６ｃｍの四角形である。これらは、取付け時の重量を考慮して中空にしてもよい。
【００１９】
水平腕金１及び２は、０．５ｍ〜１．５ｍの間隔を有して電柱２０ａに取付けられる。垂直腕金４は、水平腕金１及び水平腕金２の間隔を保持するように水平腕金１と水平腕金２とを係合する。水平腕金３は、通信線１１の共架位置が両側に割り当てられて垂直腕金４に１個以上取付けられる。この垂直腕金４を境界にして水平腕金１〜３の所定の共架位置に通信線１１が共架される。支え部材５は、電柱２０ａに支え部材５の一端が取付けられ、他端が水平腕金２を下方向から支持する棒状のものである。
【００２０】
これにより、複数の水平腕金３が取付けられた垂直腕金４を水平腕金１及び２で支持できるようになる。従って、電柱２０ａに直接取付けられる水平腕金の取付け箇所を減設できるようになる。また、垂直腕金４を境界として用いることができるようになるので、電柱２０ａに取付けられた水平腕金１〜３に通信線１１を共架する区画の数を増加できるようになる。これにより、共架位置が割り当てられた水平腕金１〜３を有効かつ効率的に利用できるようになる。
【００２１】
また、電柱２０ａの作業を実施する場合に、電柱２０ａに直接取付けられた水平腕金の数が少ないので、電柱２０ａの昇柱、降柱や柱上での作業が容易になると共に安全性が高まる。また更に、装柱が複雑な場合、高所作業車を使用して作業していたが、昇柱空間が確保できることにより、高所作業車を使用しなくても昇柱による作業が可能となり工事費が安価となる。更にまた、水平腕金１〜３に共架区画の数を増加できることにより、通信線１１の配置が整理されるので、装柱がすっきりして美観がよくなる。
【００２２】
通信線共架用金物１００は、電柱２０ａの地上高３．５ｍ以上の位置に取付けられている。この取付け位置の地上高は、電柱が備えられている道路の種類によって変わる。水平腕金３は、電柱２０ａの垂直腕金４に３本取付けられている。この垂直腕金４を境界にして水平腕金１、及び３本の水平腕金３の各両側の共架位置に通信線１１が取付けられ、通信線１１が合計８本ほど共架されている。
【００２３】
水平腕金１及び２、かつ３本の水平腕金３は、垂直腕金４を境界にして、例えば、８区画に区分けされ、この区分けされた８区画の共架位置が、ケーブルの種類や業者の種類などによって割り振られる。従って、最大８本の通信線１１を、ケーブルの種類や業者ごとに共架することができる。
【００２４】
なお、水平腕金３の取付け本数は、共架する通信線の本数により調整可能である。例えば、共架する通信線１１の本数が６本の場合、水平腕金３の取付け本数は２本でよい。また、水平腕金３の最大取付け本数は、垂直腕金４に水平腕金３を取付けることができる数によって変わる。通信線共架用金物１００の強度を増すために、垂直腕金４を追加して２本以上にしてもよい。
【００２５】
図２（ａ）及び（ｂ）は、通信線共架用金物１００の構成例を示す正面図及び側面図である。図２（ａ）に示す通信線共架用金物１００は正面図であり、０．５ｍ〜１．５ｍの間隔を有して電柱２０ａに取付けられた水平腕金１及び２と、この水平腕金１及び２の間隔を保持するように水平腕金１と水平腕金２とを係合する垂直腕金４と、通信線１１の共架位置が両側に割り当てられて垂直腕金４に３本取付けられた水平腕金３とを備え、この垂直腕金４を境界にして水平腕金１及び３の両側の共架位置に通信線１１が共架されている。更に、電柱２０ａに一端が取付けられ、他端が水平腕金２を下方向から支持する棒状の支え部材５を備える。図２（ｂ）に示す通信線共架用金物１００は側面図であり、図中に示す一点鎖線は、正面図と側面図の水平腕金１及び２、かつ支え部材５を固定する第１〜第３の固定部材７、８及び９の位置が同じであることを示している。
【００２６】
先ず、水平腕金１が電柱２０ａに固定部材７によって固定されて取付けられる。例えば、固定部材７は、半円形状の部材を組み合わせたものであり、電柱２０ａの外周にこの半円形状の部材が組み合わされて２箇所がねじで締められて圧固定される。この圧固定された固定部材７の図示しない開口部に水平腕金１の一端が挿入されて固定部材７にねじなどで固定される。
【００２７】
次に、水平腕金１の下の位置の電柱２０ａに圧固定された固定部材８によって水平腕金２が水平腕金１の場合と同様にして固定されて取付けられる。続いて、水平腕金１と水平腕金２とが垂直腕金４によって係合される。例えば、垂直腕金４の両端には、水平腕金１及び２が挿入される図５に示す挿入口１２が開けられており、この挿入口１２に水平腕金１及び２が挿入される。挿入後、垂直腕金４に開けられた図５に示すねじ孔１３と水平腕金１及び２に開けられたねじ孔１３とがねじで螺合されて固定される。
【００２８】
垂直腕金４の取付け完了後、支え部材５の一端は、電柱２０ａに圧固定された固定部材９によって固定され、他端は水平腕金２を下方向から支えるようにして水平腕金２に取付けられる。例えば、支え部材５の一端は、固定部材９の図示しない開口部にねじなどで固定される。水平腕金２は支え部材５の差込用の図示しない凹部を水平腕金２の下部に有し、この凹部に支え部材５の一端が差し込まれてねじなどで固定される。
【００２９】
支え部材５の取付け完了後、水平腕金３は、垂直腕金４に垂直腕金４の上段から中段、下段へと順番に３本取付けられる。例えば、水平腕金１及び２と同様にして、垂直腕金４の挿入口１２に水平腕金３が挿入され、垂直腕金４に開けられたねじ孔１３と水平腕金３に開けられたねじ孔１３とをねじで螺合して固定する。この作業を上段から中段、下段へと順番に３本に対して行う。
【００３０】
これにより、電柱２０ａに直接取付けられる水平腕金の取付け箇所の数を５箇所から２箇所に減設できるようになる。また、電柱２０ａに取付けられた水平腕金１〜３に通信線１１を共架する区画の数を増加できるようになる。例えば、垂直腕金４を境界にして、水平腕金１、及び３本の水平腕金３に各２区画ずつ設けられて合計８区画になる。
【００３１】
このとき、例えば、区分けされた８区画の共架位置が、ケーブルの種類や業者の種類などによって割り振られる。従って、ケーブルの種類や業者ごとに８本の通信線１１を共架することができる。例えば、異なる業者Ａ、Ｂで１本の水平腕金３を共有することができる。
【００３２】
水平腕金３の荷重のかかる垂直腕金４の位置には、垂直腕金４が水平腕金３から受ける荷重を支えて補強する補強用リブ６がスポット溶接（抵抗溶接）によって取付けられている。この補強用リブ６は金属素材であり、このリブ６の形状は三角柱である。これにより、水平腕金３に取付けられる通信線１１の荷重を分散させることができる。水平腕金３の取付け後、垂直腕金４を境界にして水平腕金１及び３の両側の共架位置に通信線１１が通信線取付部材１０によって取付けられる。
【００３３】
また、水平腕金１及び２、垂直腕金４、かつ電柱２０ａで囲まれた枠の垂直腕金４の下部に、通信線１１が出し入れされる通信線出入部３０を備える。例えば、閉鎖された空間である上述の枠内に架設された通信線１１を取り外す場合、作業者は、この通信線出入部３０から通信線１１を通して取り外す。これにより、この枠内に架設された通信線１１を効率よく取り外すことができる。
【００３４】
図３（ａ）及び（ｂ）は、通信線出入部３０の構成例を示す斜視図である。図３（ａ）に示す通信線出入部３０は、第１のプレート３１、第２のプレート３２、軸ピン３３、プレート固定部材３４、第１のナット３８、及び第２のナット３９（図４に示す）から構成される。プレート３１、及びプレート３２は金属製である。プレート３１及び３２の形状は、両端半円状の長方形板である。プレート３１及び３２の一端には、軸ピン３３が通される貫通孔が備えられ、他端には、プレート固定部材３４で固定される鍵状の切込み部３６、及びプレート３１及び３２を回動する際に指などを引っ掛けるＬ字型の引掛け部３５が備えられる。
【００３５】
プレート固定部材３４は、両端にナット螺合部を有した棒状の部材であり、下部の垂直腕金４の接合部４０にスポット溶接などで固定されている。垂直腕金４は、プレート３１及び３２によって連結結合される。例えば、プレート３１の一端は、上部の垂直腕金４に軸ピン３３で回動自在に係合される。プレート３１の他端は、下部の垂直腕金４のプレート固定部材３４に切込み部３６が嵌合されてナット３８で固定される。同様に、プレート３２の一端は、プレート３１と対峙して上部の垂直腕金４に軸ピン３３で回動自在に係合され、他端は、下部の垂直腕金４のプレート固定部材３４に切込み部３６が嵌合されてナット３９で固定される。プレート３１及び３２は、１枚だけでも上部の垂直腕金４の荷重に耐えることができる。上部の垂直腕金４と下部の垂直腕金４との間には、通信線１１が通過する程度の間隔が開けられている。
【００３６】
図３（ｂ）に示す通信線出入部３０は、ナット３８が緩められ、プレート固定部材３４からプレート３１の切込み部３６が外されて半時計周り方向に９０°回動されている。プレート３２も同様にして回動される。このようにして、通信線１１が出し入れされる。
【００３７】
図４（ａ）乃至（ｅ）は、通信線出入部３０における通信線１１の出入例を示す説明図である。これから、例えば、閉鎖された空間である枠内に架設された通信線１１を取り外す場合を示す。図４（ａ）に示す通信線出入部３０では、作業者が、プレート３１及びプレート３２をプレート固定部材３４にナット３８及び３９で固定している。例えば、プレート３１及び３２の各切込み部３６をプレート固定部材３４で夫々嵌合してナット３８及び３９で固定している。
【００３８】
図４（ｂ）に示す通信線出入部３０では、作業者が、ナット３８を緩め、引掛け部３５に指を引っ掛けてプレート固定部材３４からプレート３１の切込み部３６を取り外し、プレート３１を半時計周り方向に９０°回動している。続いて、通信線１１を上部の垂直腕金４と下部の垂直腕金４との間に移動している。プレート３２は、プレート固定部材３４にプレート３２の切込み部３６が嵌合されてナット３９により締め付けられて固定されたままの状態である。
【００３９】
図４（ｃ）に示す通信線出入部３０では、作業者が、プレート３１を時計回り方向に９０°回動して元の位置に戻し、ナット３８を締めて固定している。
【００４０】
図４（ｄ）に示す通信線出入部３０では、作業者が、ナット３９を緩め、引掛け部３５に指を引っ掛けてプレート固定部材３４からプレート３２の切込み部３６を取り外し、プレート３２を反時計回り方向に９０°回動している。続いて、通信線１１を上部の垂直腕金４と下部の垂直腕金４との間から外へ移動している。プレート３１は、プレート固定部材３４にプレート３１の切込み部３６が嵌合されてナット３８により締め付けられて固定されたままの状態である。
【００４１】
図４（ｅ）に示す通信線出入部３０では、作業者が、プレート３２を時計回り方向に９０°回動して元の位置に戻し、ナット３９を締めて固定している。これにより、閉鎖された空間である枠内に架設された通信線１１を取り外すことができる。また、閉鎖された空間である枠内に通信線１１を取り入れる場合、上述した作業手順の逆の手順で作業を行う。すなわち、図４（ｅ）から図４（ａ）へ向かう手順で作業する。
【００４２】
図５は、通信線共架用金物１００の組立例を示す組立図である。図５に示す通信線共架用金物１００に、水平腕金１及び２を垂直腕金４に取付けており、更に、１個目の水平腕金３を垂直腕金４の上段に取付けている。これから２個目の水平腕金３を垂直腕金４の中段に取付ける状態である。
【００４３】
例えば、垂直腕金４には、水平腕金１〜３を挿入する挿入口１２が５箇所ほど略等間隔で縦に順番に貫通して開けられている。５箇所の挿入口１２のうち、水平腕金１が取付けられている挿入口１２を１番目とし、３番目の挿入口１２に水平腕金３を矢印方向に移動させて挿入する。挿入後、垂直腕金４の３番目の挿入口１２に開けられたねじ孔１３と水平腕金３に開けられたねじ孔１３とをねじ１４で螺合して固定する。
【００４４】
水平腕金３には、水平腕金３の左右のスペースを調整する為に、ねじ孔１３が３箇所ほど開けられている。作業者は、３つのねじ孔１３のいずれか１つと垂直腕金４に開けられたねじ孔１３とを合せてねじ１４で螺合して固定する。これにより、水平腕金３の左右のスペースを調整することができる。水平腕金１及び２に関しても同様に３箇所ほどねじ孔１３が開けられている。
【００４５】
水平腕金３の荷重のかかる垂直腕金４の挿入口１２の近傍には、垂直腕金４が水平腕金３から受ける荷重を支えて補強する補強用リブ６が対峙するように２個ほどスポット溶接によって取付けられている。これにより、水平腕金３に取付けられる通信線１１の荷重が挿入口１２近傍にかかるのを分散させることができる。
【００４６】
このようにして、本発明に係る通信線共架用金物１００によれば、電柱２０ａに通信線１１を共架する場合であって、０．５ｍ〜１．５ｍの間隔を有して電柱２０ａに取付けられた水平腕金１及び２の間隔を保持するように水平腕金１と水平腕金２とを係合する垂直腕金４に、通信線１１の共架位置が両側に割り当てられて３本ほど取付けられた水平腕金３を備え、この垂直腕金４を境界にして水平腕金１及び３の両側の共架位置に通信線１１が共架されるものである。
【００４７】
この構成によって、複数の水平腕金３が取付けられた垂直腕金４を水平腕金１及び２で支持できるようになる。従って、電柱２０ａに直接取付けられる水平腕金の取付け箇所を減設できるようになる。また、垂直腕金４を境界として用いることができるようになるので、電柱２０ａに取付けられた水平腕金１〜３に通信線１１を共架する区画の数を増加できるようになる。これにより、共架位置が割り当てられた水平腕金１〜３を有効かつ効率的に利用できるようになる。
【００４８】
なお、すでに数多くの腕金が取付けられている電柱においては、電柱建替え、支障移転等の機会がある場合に通信線共架用金物１００に取り替えることが考えられる。
【産業上の利用可能性】
【００４９】
本発明は、電柱に通信線を共架する通信線共架用金物に適用して好適である。
【図面の簡単な説明】
【００５０】
【図１】本発明に係る実施例としての通信線共架用金物１００の構成例を示す概念図である。
【図２】（ａ）及び（ｂ）は、通信線共架用金物１００の構成例を示す正面図及び側面図である。
【図３】（ａ）及び（ｂ）は、通信線出入部３０の構成例を示す斜視図である。
【図４】（ａ）乃至（ｅ）は、通信線出入部３０における通信線１１の出入例を示す説明図である。
【図５】通信線共架用金物１００の組立例を示す組立図である。
【図６】従来例に係る通信線共架用金物２００の構成例を示す正面図である。
【符号の説明】
【００５１】
１  第１の水平腕金（第１の腕金）
２  第２の水平腕金（第２の腕金）
３  第３の水平腕金（第３の腕金）
４  垂直腕金（係合用腕金）
５  支え部材（支持部材）
６  補強用リブ（補強部材）
１１  通信線（共架物）
３０  通信線出入部（共架物出入部）
１００  通信線共架用金物
【図１】
2007295727.tif 000003
【図２】
2007295727.tif 000004
【図３】
2007295727.tif 000005
【図４】
2007295727.tif 000006
【図５】
2007295727.tif 000007
【図６】
2007295727.tif 000008